(57)【要約】【課題】所謂コード式であるため、コンセント(外部電源)がないところでは設置できないなど、設置位置や使用条件が制限される。【解決手段】円筒状の本体と、該本体内に組み付けられた送風機と、該送風機からの送風を所定方向に案内する送風筒と、この送風筒の吹出口よりも低位置に開口された吸気口及びコントローラー５とを備えている。コントローラー５は、電源モーター２ａへの給電回路７と、該給電回路７をＯＮ／ＯＦＦ操作するスイッチ８と、同電源モーター２ａを駆動するためのバッテリー９と、電源モーター２ａの回転速度とを制御するものであり、送風機２の風量調整とバッテリー９の充電切り換えをスイッチ８のＯＮ／ＯＦＦ操作に連動させている。【選択図】図３
0003128392.tif 000002
【実用新案登録請求の範囲】
【請求項１】
電源モーターにて駆動する送風機と、該送風機からの送風を拡散させることなく上方若しくは下方に方向付ける送風筒と、該送風筒の吹出口よりも低位置若しくは上流側に開口して前記送風機に空気を供給するための吸気口とを備えてなる空気還流器において、
前記電源モーターを駆動するための電池若しくは蓄電池等の電源（以下、単にバッテリーという）を備えたコントローラーを有することを特徴とする空気還流器。
【請求項２】
前記電源モーター及び／又は送風機への給電回路をＯＮ／ＯＦＦ操作するスイッチと、前記電源モーターを駆動するためのバッテリーと、前記電源モーターの回転速度とを制御するコントローラーを備えたことを特徴とする請求項１に記載の空気還流器。
【請求項３】
前記コントローラーは、電源モーター及び／又は送風機への給電回路をＯＮ／ＯＦＦ操作するスイッチと連動して同電源モーターの回転速度を制御することを特徴とする請求項１又は２に記載の空気還流器。
【請求項４】
前記コントローラーは、バッテリーの過放電を防止するための過放電防止手段を備えてなることを特徴とする請求項１、２又は３に記載の空気還流器。
【請求項５】
前記送風筒は、伸縮若しくは屈曲自在に形成されていることを特徴とする請求項１に記載の空気還流器。
【考案の詳細な説明】
【技術分野】
【０００１】
本考案は、室内の空気を強制的に還流させることにより空気の澱みを解消すると共に、冷暖房費の節減にも役立つ空気還流器(circulator)の改良に関し、更に詳しくは、コンセント（外部電源）の有無にかかわらず、家屋、車両等の何処にでも簡単に使用できる汎用性に優れた有用な空気還流器に存する。
【背景技術】
【０００２】
従来、斯かる空気還流器としては、電源モーターにて駆動する送風機と、該送風機からの送風を拡散させることなく上方に方向付ける送風筒と、この送風筒の吹出口よりも低位置に開口して前記送風機に空気を供給するための吸気口とを備えてなる空気還流器がある（特許文献１参照）。
【特許文献１】特開２００６−３８３４１号公報
【考案の開示】
【考案が解決しようとする課題】
【０００３】
しかしながら、上述した特開２００６−３８３４１号公報に開示されている空気還流器にあっては、所謂コード式であるため、コンセント(外部電源)がないところでは設置できないなど、設置位置や使用条件が制限されるといった問題があり、また、電源コード自体が邪魔になることも相俟って、何処にでも簡単に設置することができるコードレスの空気還流器が要望されている。
【０００４】
本考案はこのような従来の問題点及び要望に鑑みてなされたもので、コンセント(外部電源)の有無にかかわらず、何処にでも簡単に設置し移動することができる汎用性に優れた有用な空気還流器を提供することを目的としたものである。
【課題を解決するための手段】
【０００５】
上述の如き従来の問題点を解決し、所期の目的を達成するため本考案の要旨とする構成は、電源モーターにて駆動する送風機と、該送風機からの送風を拡散させることなく上方若しくは下方に方向付ける送風筒と、この送風筒の吹出口よりも低位置若しくは上流側に開口して前記送風機に空気を供給するための吸気口とを備えてなる空気還流器において、バッテリー式コントローラーを有する空気還流器に存し、延いては、前記電源モーター及び／又は送風機への給電回路をＯＮ／ＯＦＦ操作するスイッチと、前記電源モーターを駆動するためのバッテリーと、同電源モーターの回転速度とを制御するコントローラーを備えてなる空気還流器に存する。
【０００６】
また、前記コントローラーは、電源モーターへの給電回路をＯＮ／ＯＦＦ操作するスイッチと連動して同電源モーターの回転速度を制御するのが良い。
【０００７】
更に、前記コントローラーは、バッテリーの過放電を防止するための過放電防止手段を兼備せしめるのが良く、延いては、前記送風筒を伸縮若しくは屈曲自在に構成するのが良い。
【考案の効果】
【０００８】
本考案は上述のように構成され、バッテリーを備えたコントローラーを有すること、延いては、前記電源モーター及び／又は送風機への給電回路をＯＮ／ＯＦＦ操作するスイッチと、同電源モーターを駆動するためのバッテリーと、前記電源モーターの回転速度とを制御するコントローラーを備え、該コントローラーが、電源モーターへの給電回路をＯＮ／ＯＦＦ操作するスイッチと連動して同電源モーターの回転速度を制御することによって、スイッチをＯＮ操作することで送風筒から空気流が吹き出し、室内の空気を強制的に還流させる結果、空気の澱みを解消すると共に、冷暖房費の節減にも役立つことは勿論のこと、前記スイッチのＯＮ操作と連動させて送風機の風量を自由に調整できたり、バッテリーを充電可能状態に切り換えられる他、充電後は満充電状態を保持できることも相俟って、コンセント（外部電源）の有無に関係なく、家屋や車両等の何処にでも簡単に使用できるなど汎用性に優れ、また、移動、運搬も簡単に行えるといった効果を奏する。
【０００９】
更に、本考案の空気還流器は、バッテリーの過放電を防止できるなど安全性にも優れると共に、バッテリーを使った電力供給により長時間運転が可能になり、また、構成が単純であるため大量生産に適し、価格も低廉なものとして需要者に供給できる等、本考案を実施することはその実益的価値が甚だ大である。
【考案を実施するための最良の形態】
【００１０】
電源モーターへの給電回路をＯＮ／ＯＦＦ操作するスイッチと、同電源モーターを駆動するためのバッテリーと、電源モーターの回転速度とを制御するコントローラーを備え、延いては、バッテリーの過放電を防止するための過放電防止手段及びスイッチのＯＮ／ＯＦＦの時間を設定するタイマー機能を付加せしめる。
【実施例１】
【００１１】
次に、本考案の実施の一例を図面を参照しながら説明する。図中Ａは、本考案に係る空気還流器であり、この空気還流器Ａは、図１に示すように、円筒状の本体１と、該本体１内に組み付けられた送風機２と、該送風機２からの送風を所定方向に案内する送風筒３と、この送風筒３の吹出口３ａよりも低位置に開口された吸気口４とを備えている。
【００１２】
本体１は、短筒状の基台１ａと、該基台１ａの上に立設され外周面が格子状に形成された籠部１ｂとを備えている。また、図２に示すように、前記基台１ａ内には後述するコントローラー５を搭載したトレー状の下箱６が配設されている。
【００１３】
送風機２は、電源モーター２ａにより回転するものであり、下位から空気を強制的に吸引して上方に空気流(風)を吹き上げられるように中空のファンガード２ｂにて囲繞されている。
【００１４】
送風筒３は、還流器本体１内に同心配置に組み付けられた長筒状を呈しており、吹出口３ａが還流器本体１の頂面に開放され下端開口３ｂが前記送風機２の近傍に臨むべく配置されており、また、内部を仕切板３ｃ，３ｃ…で区画することにより、空気流(風)が拡散しないように防止している。
【００１５】
すなわち、仕切板３ｃ，３ｃ…は、送風筒３の長手方向全域に亘って内部空間を八つに区画すべく放射状に内設されているため、送風機２から上方に向けて発生する空気流が、仕切板３ｃ，３ｃ…で区画された八つの狭い空間を強制的に通り抜ける際の加速効果（以下、単にベンチュリー効果という）で、流速が増した状態で送風筒３から上方に向けて勢い良く吹き出される結果、空気流の拡散を効率的に防止することができる。
【００１６】
一方、吸気口４は、基台１ａと送風機２との間に設けた間隙からなり、送風機２に向けて空気が円滑に供給できるように開放されている。
【００１７】
コントローラー５は、前記電源モーター２ａへの給電回路７と、該給電回路７をＯＮ／ＯＦＦ操作するスイッチ８と、同電源モーター２ａを駆動するためのバッテリー９と、電源モーター２ａの回転速度とを制御するもので、送風機２の風量調整とバッテリー９の充電切り換えをスイッチ８のＯＮ／ＯＦＦ操作に連動させている。
【００１８】
例えば、バッテリー９を充電しながら運転する場合は、ＡＣアダプター（図示せず）を本体１のＤＣジャック１０(図１参照)に挿入すると、アダプター運転中を示す赤色ＬＥのＤ１１及び充電中の橙色ＬＥＤ１２が点灯するようになっている。
【００１９】
また、一旦、スイッチ８を右に回しＯＮ状態に入れば、その後はそのスイッチ８の動きに応じて風量調整ができるものであり、右へ回し切るまで回すことで最大風量となる。次いで、スイッチ８を左に回しＯＦＦに入れ、ＡＣアダプターを接続しておくと、充電完了を示すべく橙色ＬＥＤ１２が消灯し、常に満充電状態を保つようになっている。
【００２０】
また、バッテリー運転をする場合は、ＡＣアダプターを本体１のＤＣジャック１０から外し、スイッチ８を右に回しＯＮ状態に入れることで、バッテリー運転中を示す緑色ＬＥＤ１１が点灯する。
【００２１】
また、このスイッチ８は、左方向へ回し切ることでＯＦＦ状態に入ると同時に、前記バッテリー９を充電可能状態に切り換えるため、ＡＣアダプターを本体１のＤＣジャック１０に接続するだけで、バッテリー９への充電が開始され、充電完了後は橙色ＬＥＤ１２が消灯し、満充電状態を保つことができるのである。
【００２２】
換言すれば、通常、充電中は定電流充電、満充電後は定電圧充電に自動的に切り替わり、バッテリー９の自己放電を補うために絶えず微少電流で満充電状態を保持することができるトリクル充電方式を採用している。
【００２３】
一方、バッテリー９としては、例えば、乾電池、蓄電池（ニッケル−カドミウム蓄電池、ニッケル−水素蓄電池）が挙げられるが、これらを複数個組み合わせた電池ブロック或いは太陽電池などを使用しても良く、また、これら双方を併用することにより長時間運転での使用が可能になり、更にはＯＮ／ＯＦＦの時間を設定するタイマー機能を付加させても良い。
【００２４】
他方、過放電防止手段１３は、バッテリー運転中に電圧が一定以下になると送風機２の回転が弱まり、更に運転を継続すると過放電防止回路が働いて自動的に送風機２を停止させるものであり、緑色ＬＥＤ１１を消灯するように構築されている。
【００２５】
尚、バッテリー電圧が低下している場合は、過放電防止のため、バッテリー運転はできないが、上述の如くＡＣアダプターを繋いで充電することができることは云うまでもない。
【００２６】
また、バッテリー運転中に自動停止した状態から充電する場合、およそ８時間で満充電になり、充電完了間際になると橙色ＬＥＤ１２が次第に暗くなって消灯し、満充電を知らせるように工夫されており、充電完了後もＡＣアダプターを抜く必要はなくそのまま使用できると共に、前述の如く常に満充電状態を保つことができるため頗る便利である。
【００２７】
このように構成される本考案の空気還流器は、スイッチ８をＯＮに入れることによって、送風機２のファンが回転すると同時に、送風筒３でのベンチュリー効果で空気流が加速されて吹き出され、次いで、斯かる空気流は拡散することなく天井に達した後、天井面に沿って（空気流の方向に対して放射方向へと）流れを変え、更に床に向かって下降して室内を還流するため、例えば、冷暖房等の空調装置から供給される冷気や暖気等をむらなく室内に還流させることができるため、室内での空気の澱みが解消されると共に、室内温度の均一性を高めることができ、冷暖房のエネルギー消費をより軽減することできるのである。
【００２８】
また、送風筒３から、上方に向けて吐き出される空気流は、周囲に拡散しないため、本空気還流器Ａの近傍にいる人達に直接当たることもないから、快適な冷暖房を実現できる他、窓などの結露の抑制にも役立つのである。
【００２９】
尚、本考案の空気還流器は、本実施例に限定されることなく、本考案の目的の範囲内で自由に設計変更し得るものであり、本考案はそれらの全てを包摂するものである。
【００３０】
例えば、図４に示すように、送風筒３及び／又は仕切板３ｃを伸縮自在に形成しても良く、更には、図５に示す送風筒３の如く蛇腹にて形成すれば、送風筒自体が屈曲自在になるため、上方向のみならず水平方向など必要な方向へ空気流を送ることができ、延いては、これら送風筒３を周方向に３６０度回転できるように取り付けても良い。
【００３１】
また、下箱６内に、脱臭剤、アロマ効果の芳香剤などを置くことにより、室内の嫌な臭いを解消したり、癒し効果を促進させることができることは云うまでもない。
【図面の簡単な説明】
【００３２】
【図１】本考案に係る空気還流器の第１実施例を示す斜視図である。
【図２】同空気還流器の縦断面図である。
【図３】同空気還流器のコントローラーを示す説明図である。
【図４】本考案に係る空気還流器の第２実施例を示す斜視図である。
【図５】本考案に係る空気還流器の第３実施例を示す斜視図である。
【符号の説明】
【００３３】
１  本体
１ａ  基台
１ｂ  籠部
２  送風機
２ａ  電源モーター
２ｂ  ファンガード
３  送風筒
３ａ  吹出口(上端開口)
３ｂ  下端開口
３ｃ  仕切板
４  吸気口
５  コントローラー
６  下箱
６ａ  穿孔
７  給電回路
８  スイッチ
９  バッテリー
１０  ＤＣジャック
１１  赤・緑色ＬＥＤ
１２  橙色ＬＥＤ
１３  過放電防止手段
１４  蛇腹式送風筒
【図１】
0003128392.tif 000003
【図２】
0003128392.tif 000004
【図３】
0003128392.tif 000005
【図４】
0003128392.tif 000006
【図５】
0003128392.tif 000007